(57)【特許請求の範囲】
【請求項１】
前端と、後端と、上面と、底面と、前記上面と前記底面との間にキャビティを有し、前記キャビティは回路基板をその中に受けるハウジングであって、平行な複数の溝を有し、前記複数の溝の第１の部分は前記ハウジングの前記上面を貫通して形成された接触溝を有し、前記複数の溝の第２部分は固定溝を有するハウジングと、
前記接触溝内に配置されていると共に前記ハウジングに取り付けられた複数の接触要素であって、前記接触要素のそれぞれが前記上面に配置された上側接触アームと、前記底面に配置された下側接触アームと、を備える複数の接触要素と、
前記固定溝内に配置されていると共に前記ハウジングに取り付けられた一対の係止部材であって、前記各係止部材のそれぞれが前記ハウジングの前記後端から前記前端への方向に沿って配置された係止アームを有する一対の係止部材と、
を備え、
それぞれの前記接触要素の前記上側接触アーム及び前記下側接触アームと、前記係止部材のそれぞれの前記係止アームとが前記キャビティから離れて弾性的に偏向可能であり、前記回路基板の前記キャビティへの挿入を可能とし、
前記回路基板が前記キャビティに嵌入されるときに、前記上側接触アーム及び前記下側接触アームは前記回路基板と電気的接触しており、前記係止アームは前記回路基板と弾性的に係合し、前記ハウジングに前記回路基板を係止する、電気コネクタ。
【請求項２】
各係止部材は、ベースと、前記ベースから垂直に延在する係止突起を有し、前記ハウジングは複数の固定穴を有しており、前記係止部材が前記ハウジングに取り付けられるときに、各前記係止部材の係止突起は前記ハウジングの前記上面及び前記底面に対して垂直な方向に沿った固定穴に置かれる、請求項１に記載の電気コネクタ。
【請求項３】
前記固定穴は前記ハウジングの前記上面に配置され、各前記係止部材の前記係止アームは前記ベースに対して垂直な方向に沿って前記ベースに対してずれており、前記係止突起が前記ハウジングの前記底面から前記固定穴に嵌入されるときに、前記ベースが前記ハウジングの前記底面に配置され、且つ、前記係止アームは前記ハウジングの前記上面に配置される、請求項２に記載の電気コネクタ。
【請求項４】
各前記係止部材が前記係止アームの末端部分に形成された係止爪を更に備え、前記係止爪は前記係止突起の反対側の方向に沿って前記係止アームから延在する、請求項３に記載の電気コネクタ。
【請求項５】
前記係止突起が前記固定穴に配置されていると共に、前記ハウジングの前記上面に向いており、前記係止爪は前記キャビティに配置されていると共に、前記ハウジングの前記底面に向いている、請求項４に記載の電気コネクタ。
【請求項６】
前記回路基板が前記キャビティに嵌入されるときに、前記係止爪は前記回路基板と係合して、前記ハウジングからの分離が妨げられる、請求項５に記載の電気コネクタ。
【請求項７】
前記固定穴は前記ハウジングの前記底面に配置されており、各前記係止部材の前記係止アームは前記ベースと整列しており、前記係止突起が前記ハウジングの前記上面から前記固定穴に嵌入されるときに、前記ベース及び前記係止アームが前記ハウジングの前記上面に配置される、請求項２に記載の電気コネクタ。
【請求項８】
各前記係止部材が前記係止アームの末端部分に形成された係止爪を更に備え、前記係止爪は前記係止突起と同じ方向に沿って前記係止アームから延在する、請求項７に記載の電気コネクタ。
【請求項９】
前記係止突起が前記固定穴に配置されるときに、前記係止突起は前記ハウジングの前記底面に向いており、前記係止爪は前記キャビティに配置され、且つ前記ハウジングの前記底面に向いている、請求項８に記載の電気コネクタ。
【請求項１０】
前記回路基板が前記キャビティに嵌入されるときに、前記係止爪は前記回路基板と係合して前記回路基板の分離を防止する、請求項９に記載の電気コネクタ。
【請求項１１】
前端と、後端と、上面と、底面と、前記上面と前記底面との間にキャビティを有するハウジングであって、前記キャビティは回路基板をその中に受けるハウジングと、
前記ハウジングに取り付けられた複数の接触要素であって、前記接触要素のそれぞれが前記上面に配置された上側接触アームと、前記底面に配置された下側接触アームとを備える複数の接触要素と、
前記ハウジングに取り付けられた一対の係止部材であって、前記各係止部材のそれぞれが前記ハウジングの前記後端から前記前端への方向に沿って配置された係止アームを有する一対の係止部材と、
を備え、
それぞれの前記接触素子の前記上側接触アーム及び前記下側接触アームと、前記係止部材のそれぞれの前記係止アームとが前記キャビティから離れて弾性的に偏向可能であり、前記回路基板の前記キャビティへの挿入を可能とし、
前記回路基板が前記キャビティに嵌入されるときに、前記上側接触アーム及び前記下側接触アームは前記回路基板と電気的接触しており、前記係止アームは前記回路基板と弾性的に係合し、前記ハウジングに前記回路基板を係止しており、
各係止部材は、ベースと、前記ベースから垂直に延在する係止突起を有し、前記ハウジングは複数の固定穴を有しており、前記係止部材が前記ハウジングに取り付けられるときに、各前記係止部材の係止突起は前記ハウジングの前記上面及び前記底面に対して垂直な方向に沿った固定穴に置かれており、
前記固定穴は前記ハウジングの前記底面に配置されている電気コネクタ。
【発明の詳細な説明】
【技術分野】
【０００１】
本発明は電気コネクタに関する。本発明は、特に、フレキシブルプリント回路基板に繋げるための電気コネクタに関する。
【背景技術】
【０００２】
フレキシブルプリント回路（ＦＰＣ）板又はリボンコネクタは、装置における異なるモジュール／部品間の電気接続を形成するために多くの電子装置において用いられる。信頼性が高い接続を確実にするために、コネクタには、そのコネクタにＦＰＣを物理的に固定して係止するためのアクチュエータが典型的に設けられる。アクチュエータはＦＰＣコネクタの動作素子である。そのため、アクチュエータの有効な動作を可能にするために、ＦＰＣコネクタは物理的にアクチュエータを支持するために十分に大きなハウジング構造を備えていなければならない。
【発明の概要】
【発明が解決しようとする課題】
【０００３】
コンパクトな大きさの電子装置の用途において、そのような装置において、使用されるコネクタは小型化される。そのような小型化されたコネクタのハウジングはアクチュエータを支持するために必要な寸法、強さ及び／又は剛性を有することができず、電気接続はおそらく犠牲になる。従って、小さいサイズを有すると共に、ＦＰＣとの信頼性が高い電気接続を確実にすることができるＦＰＣコネクタを提供することが好ましい。
【課題を解決するための手段】
【０００４】
本発明の実施形態は、アクチュエータを必要とせずにＦＰＣと確実に繋げるコネクタを提供する。コンパクト・エレクトロニクス装置における使用のための小型化要件を満たすために、コネクタは、ロープロファイルであり、小さくて、より薄く製造され得る。ＦＰＣは、電気接続を形成して維持するために、コネクタに確実に固定され得る。
【０００５】
一実施形態において、ＦＰＣコネクタは、ハウジング及びハウジングに配置される接触要素を備えている。ハウジングは、前端、後端、上面、底面、及び上面と底面の間のキャビティを有する。各接触要素は、上面で配置された上側接触アームと、底面で配置された下側接触アームと、を備える。キャビティには、回路基板、例えばＦＰＣをそこに収容され、上下の接触アームと電気接続を形成する。一対の係止部材は、ハウジングに取り付けられる。各係止部材は、ハウジングの後端から前端までの方向に沿って配置される係止アームを備えている。各接触要素の上側接触アーム及び下側接触アームと、及び各係止部材の係止アームとは、キャビティから離れて弾性的に偏向可能であり、ＦＰＣのキャビティへの挿入を許容する。回路基板がキャビティに嵌入されるときに、上側接触アーム及び下側接触アームはＦＰＣと電気的に接触する。係止アームはＦＰＣに嵌合してハウジングに回路基板を係止するためにスプリングバックする。
【０００６】
本発明の実施形態は、図面と関連して以下に開示される。
【図面の簡単な説明】
【０００７】
【図１Ａ】本発明の一実施形態に係るＦＰＣコネクタを示す斜視図である。
【図１Ｂ】図１Ａの斜視底面図である。
【図２】図１Ａの分解図である。
【図３】図１Ａに図示されているＦＰＣコネクタのハウジングの斜視底面図である。
【図４】図１に図示されているＦＰＣコネクタの接触要素を示す斜視図である。
【図５】Ａ−Ａに沿った図１Ａの断面図である。
【図６】図１Ａに図示されているＦＰＣコネクタの係止部材を示す斜視図である。
【図７】Ｂ−Ｂに沿った図１Ａの断面図である。
【図８】図１ＡのＦＰＣコネクタに接続されるＦＰＣを示す斜視図である。
【図９】図１ＡのＦＰＣコネクタに接続されるＦＰＣを示す斜視図である。
【図１０】Ｃ−Ｃに沿った図９の斜視断面図である。
【図１１】Ｄ−Ｄに沿った図９の斜視断面図である。
【図１２Ａ】本発明の他の実施形態に係るＦＰＣコネクタを示す斜視図である。
【図１２Ｂ】図１Ａの斜視底面図である。
【図１３】図１２Ｂの分解図である。
【図１４】図１２Ａに示されたＦＰＣコネクタの接触要素を示す斜視図である。
【図１５】Ａ―Ａに沿った図１２Ａの断面図である。
【図１６】図１２Ａに示されたＦＰＣコネクタの係止部材を示す斜視図である。
【図１７】Ｂ−Ｂに沿った図１２Ａの断面図である。
【図１８】図１２ＡのＦＰＣコネクタに接続されるＦＰＣを示す斜視図である。
【図１９】図１２ＡのＦＰＣコネクタに接続しているＦＰＣを示す斜視図である。
【図２０】Ｃ−Ｃに沿った図１９の斜視断面図である。
【図２１】Ｄ−Ｄに沿った図１９の斜視断面図である。
【発明を実施するための形態】
【０００８】
図１Ａ及び図１Ｂに示すように、本発明の一実施形態に係るＦＰＣコネクタ１０は、ハウジング１２と、ハウジング１２に取り付けられた複数の接触要素１４、一対の係止部材１６及び一対の締め具（ｈｏｌｄ  ｄｏｗｎ）１８と、を含む。ハウジング１２は、成形プラスチックからなり、前面１２ａ、背面１２ｂ、上面１２ｃ及び底面１２ｄを有する。上面１２ｃと底面１２ｄとの間に、電気接続を形成するためにＦＰＣをその中に受けるためのキャビティ１２ｅが形成される。
【０００９】
図２及び図３に示すように、ハウジング１２は、底面１２ｄに形成された第１の接触溝１２４及び上面１２ｃの上に形成された第２の接触溝１２６ａを含む。また、上面１２ｃの上に、ハウジング１２の背面１２ｂまで延在する固定溝１２６ｂが形成される。更に、支え溝（ｈｏｌｄ  ｄｏｗｎ  ｇｒｏｏｖｅ）１３８、及び固定凹部１２８ａは上面１２ｃ上に形成される。そして、固定穴１２８ｂはハウジング１２の底面１２ｄに形成される。
【００１０】
図４に示すように、接触要素１４は、ベース１４０と、ベース１４０から接触要素１４０の背面の方へ延在する尾部１４２とを含む。下側アーム１４４及び上側アーム１４６は、ベース１４０から接触要素１４０の前面の方へ延在する。下側アーム１４４はその自由端に形成された下側接触突起１４４ａを有する。下側接触突起１４４ａは、上側アーム１４６に向いている。上側アーム１４６はその自由端で形成される上側接触突起１４６ａを有する。上側接触突起は、下側アーム１４４に向いている。下側アーム１４４及び上側アーム１４６は、ＦＰＣを収容するためにその間にある空間１４５を画定する。固定突起１４８は、ベース１４０の上に形成されて、ベース１４０から上向きに延在している。
【００１１】
図５に示すように、ハウジング１２と組み立てるために、各接点要素１４が底面１２ｄからハウジング１２に挿入され、上面１２ｃに向かう方向に沿って取り付けられる。固定突起１４８は固定凹部１２８ａに挿入される。挿入プロセスの間に上側アーム１４６は、第１の接触溝１２４及びキャビティ１２ｅを通過する。固定突起１４８が固定凹部１２８ａを完全に受けるとき、上側アーム１４６は、第２の接触溝１２６ａに置かれる。ベース１４０は、ハウジング１２において、形成される第１のストッパー１３４と接触しているので、上面１２ｃの方への接触要素１４の更なる挿入が防止される。一方、下側アーム１４４は第１の接触溝１２４に受けられ、尾部１４２はハウジング１２の背面１２ｂに置かれる。このように、接触要素１４はハウジング１２に取り付けられる。下側アーム１４４は、第１の接触溝１２４の中で弾性的に偏向可能である。同様に、上側アーム１４６は、第２の接触溝１２６ａの中で弾性的に偏向可能である。
【００１２】
図６に示すように、係止部材１６は、ベース１６０とベース１６０から後方及び下方へ延在する尾部１６２と、を含む。係止アーム１６６は、ベース１６０から前方へ延在し、係止アーム１６６の自由端に形成された係止爪１６６ａを備えている。下方へ延在している係止突起１６８はベース１６０の上に形成される。
【００１３】
ハウジング１２と組み立てるために、図７に示すように、各係止部材１６は、上面１２ｃからハウジング１２に底面１２ｄに向かう方向に沿って挿入される。係止突起１６８は、ハウジング１２の固定穴１２８ｂに挿入される。係止突起１６８が固定穴１２８ｂに完全に受けられるときに、係止アーム１６６は固定溝１２６ｂに置かれる。ベース１６０はハウジング１２に形成される第２のストッパー１３６と接触している。そのため、底面１２ｄへの方の係止部材１６の更なる挿入が防止される。一方、尾部１６２は、ハウジング１２の背面１２ｂに置かれる。係止部材１６は、このようにハウジング１２に取り付けられ、係止アーム１６６は固定溝１２６ｂの中で偏向できる。
【００１４】
使用中に図８〜図１１に示すようにＦＰＣ２０は、前面１２ａからハウジング１２のキャビティ１２ｅに挿入され、コネクタ１０と電気接続を形成する。下側及び上側アーム１４４、１４６及び係止アーム１６６はそれらの弾性特徴によって、偏向可能である。挿入プロセスの間に、ＦＰＣ２０によって、下側アーム１４４及び上側アーム１４６が各々から離れて偏向することができ、そのため、ＦＰＣ２０の接触部分２４６ａは、下側アーム１４４及び上側アーム１４６の間に配置されることができ、下側接触突起１４４ａ及び上側接触突起１４６ａ（図１０）と電気的に接続されることになる。また、挿入プロセスの間に、ＦＰＣ２０は、係止爪１６６ａを押して、係止部材１６の係止アーム１６６を上方へ偏向させる。ＦＰＣ２０が完全挿入位置にあるときに、図１１に示すように、ＦＰＣ２０の係合切欠き２６６ａは係止爪１６６ａの下に配置され、係止アーム１６６が第一の位置に戻ることが可能となり、係止爪１６６ａは、切欠き２６６ａでＦＰＣ２０と係合する。そのためＦＰＣ２０のコネクタ１０からの離脱（ｄｉｓｅｎｇａｇｅｍｅｎｔ）又は抜け落ちが防止され得る。
【００１５】
図１２Ａ、図１２Ｂ及び図１３に示されているように、本発明の他の実施形態に係るＦＰＣコネクタ３０は、ハウジング３２と、ハウジング３２に取り付けられた複数の接触要素３４、一対の係止部材３６及び一対の締め具３８と、を含む。ハウジング３２は、成形プラスチックからなり、前端３２ａ、後端３２ｂ、上面３２ｃ及び底面３２ｄを有する。上面３２ｃと底面３２ｄとの間に、その中にＦＰＣを受けて接触要素３４と電気接続を形成するキャビティ３２ｅが形成されている。
【００１６】
ハウジング３２は底面３２ｄに形成された第１の接触溝３２４ａ及び第１の固定溝３２６ａを含む。また、ハウジング３２は上面３２ｃの上に形成された第２の接触溝３２４ｂ及び第２の固定溝３２６ｂを含む。固定穴３２８は、上面３２ｃから底面３２ｄを通過してハウジング３２において形成される。
【００１７】
図１４に示すように、接触要素３４は、ベース３４０と、ベース３４０から接触要素３４０の背面（図１４の右側）の方へ延在する尾部３４２とを有する。下側アーム３４４及び上側アーム３４６は、ベース３４０から接触要素３４の前面（図１４の左側）の方へ延在する。下側アーム３４４はその自由端に形成される下側接触突起３４４ａを有し、上側アーム３４６に向いている。上側アーム３４６はその自由端に形成された上側接触突起３４６ａを有し、下側アーム３４４に向いている。ＦＰＣを収容するために、下側アーム３４４及び上側アーム３４６は、その間に空間３４５を形成する。固定突起３４８は、ベース３４０の上に形成されてベース３４０から上向きに延在する。
【００１８】
ハウジング３２と組み立てるために、図１５に示すように、各接触要素３４は底面３２ｄから上面３２ｃの方に向かってハウジング３２に挿入されてハウジング３２に取り付けられる。また、固定突起３４８は固定穴３２８に挿入される。上側アーム３４６は、挿入プロセスの間に第１の接触溝３２４ａ及びキャビティ３２ｅを通過する。固定突起３４８が固定穴３２８に完全に受けられるときに、上側アーム３４６は第２の接触溝３２６ｂ内に置かれる。一方、下側アーム３４４は第１の接触溝３２４に受けられる。そして、尾部３４２はハウジング３２の背面３２ｂに置かれる。ベース３４０はハウジング３２に形成される第１のストッパー３３４と接触するようになる。そのため、接触要素３４の上面３２ｃに向かう更なる移動は防止される。下側アーム３４４は、第１の接触溝３２４ａの中で弾性的に偏向可能である。同様に、上側アーム３４６は、第２の接触溝３２４ｂの中で弾性的に偏向可能である。
【００１９】
図１６に示すように、係止部材３６は、ベース３６０と、ベース３６０から後方へ延在する尾部３６２とを含む。係止アーム３６６は、ベース３６０から前方へ延在し、ベース３６０に垂直な方向に沿ってベース３６０からずれる。係止アーム３６６は、係止アーム３６６の自由端に形成される係止爪３６６ａを備え、下方へ向いている。係止突起３６８は、ベース３６０から上向きに延在する。係止アーム３６６の前端は、例えば下方への角度ａで先細くなっていることができる。
【００２０】
ハウジング３４と組み立てるために、図１７に示すように、各係止部材３６は、底面３２ｄから上面３２ｃに向かう方向に沿ってハウジング３２に嵌入される。係止アーム３６６は第１の固定溝３２６ａを通過し、係止突出３６８がハウジング３２の固定穴３２８に嵌入される。係止突起３６８が固定穴３２８において、完全に受けられるときに、係止アーム３６６はハウジング３２の上面の第２の固定溝３２６ｂに置かれる。この位置で、係止爪３６６ａは、キャビティ３２ｅに位置して下方を向いている。ベース３６０はハウジング３２において形成される第２のストッパー３３６と接触するようになり、そのため、ハウジング３２の上面３２ｃの方への係止部材３６の更なる挿入は防止される。一方、尾部３６２は、ハウジング３２の背面３２ｂに置かれる。係止部材３６はこのようにハウジング３２に取り付けられる。そして、係止アーム３６６は第２の固定溝３２６ｂの中で偏向できる。
【００２１】
図１８〜２１に示すように、ＦＰＣ４０は、使用中にコネクタ３０と電気接続を形成するために、前面３２ａからハウジング３２のキャビティ３２ｅに嵌入される。下側及び上側アーム３４４、３４６及び係止アーム３６６がそれらの弾性特徴によって、偏向可能であるため、挿入プロセスの間にＦＰＣ４０によって、下側アーム３４４及び上側アーム３４６が各々から離れて偏向できる。そのため、ＦＰＣ４０の接触部分３４６ａは、下側アーム３４４と上側アーム３４６との間に配置され、下側接触突起３４４ａ及び上側接触突起３４６ａ（図２０）と電気的に接続される。
【００２２】
また、ＦＰＣ４０は、挿入プロセスの間に係止爪３６６ａに対して曲げられ、係止部材３６の係止アーム３６６を上方へ偏向させる。第２のストッパー３３６は、係止アーム３６のベース３６０に対して曲げられるので、係止アーム３６６の上方への偏向には、ハウジング３２への係止部材３６の取付けを強化する傾向がある。このように、ＦＰＣのコネクタ３０へ挿入プロセスの間に、ハウジング３２と関連する係止部材３６の移動及び／又はハウジング３２から係止部材３６の分離が防止される。
【００２３】
ＦＰＣ４０が完全挿入位置にあるときに、図２１に示すように、ＦＰＣ４０の係合切欠き４６６ａは係止爪３６６ａの下に配置され、係止アーム３６６が第一の位置に戻ることを可能にする。そうすると、係止爪３６６ａは切欠き４６６ａでＦＰＣ４０と係合する。従って、コネクタ３０からのＦＰＣ４０の離脱（ｄｉｓｅｎｇａｇｅｍｅｎｔ）又は抜け落ちが防止されることができ、それ故、ＦＰＣ４０とコネクタ３０との間の電気接続が確実になる。
【００２４】
本発明の実施形態が添付の図面に関連して例示されて、前述の詳細な説明に記載されたが、本発明が開示される実施形態に限られないことは理解されるべきである。従って、本発明は、以下の請求項に記載されて、詳述される本発明の精神を逸脱しない範囲で多数の再配置、変更、変形及び置換ができると理解されるべきである。
【符号の説明】
【００２５】
１０  ＦＰＣコネクタ
１２  ハウジング
１２ａ  前面
１２ｂ  背面
１２ｃ  上面
１２ｄ  底面
１４  接触要素
１６  係止部材
１８  締め具
１２６ａ  第２の接触溝
１２６ｂ  固定溝
１２８ａ  固定凹部
１３８  支え溝
【図１Ａ】
0006342991.tif 000002
【図１Ｂ】
0006342991.tif 000003
【図２】
0006342991.tif 000004
【図３】
0006342991.tif 000005
【図４】
0006342991.tif 000006
【図５】
0006342991.tif 000007
【図６】
0006342991.tif 000008
【図７】
0006342991.tif 000009
【図８】
0006342991.tif 000010
【図９】
0006342991.tif 000011
【図１０】
0006342991.tif 000012
【図１１】
0006342991.tif 000013
【図１２Ａ】
0006342991.tif 000014
【図１２Ｂ】
0006342991.tif 000015
【図１３】
0006342991.tif 000016
【図１４】
0006342991.tif 000017
【図１５】
0006342991.tif 000018
【図１６】
0006342991.tif 000019
【図１７】
0006342991.tif 000020
【図１８】
0006342991.tif 000021
【図１９】
0006342991.tif 000022
【図２０】
0006342991.tif 000023
【図２１】
0006342991.tif 000024